(57)【特許請求の範囲】
【請求項１】
肥料を収容する施肥ホッパ（１）と、繰出ロール（２）の回転によって前記施肥ホッパ（１）から供給される肥料を繰出す繰出装置（３）と、ブロワ（４）からの送風を通して、前記繰出装置（３）から繰出される肥料を受けて施肥ホース（５）へ送風搬送させる送風筒（６）とを構成する施肥装置において、
前記繰出装置（３）の繰出口（７）と、送風筒（６）との間に、螺旋軸（８）の周面に螺旋面を連続させて形成し、且つこの螺旋軸（８）方向に沿って連続する螺旋面を形成する螺旋翼（９）を有した押出螺旋（１０）と、該押出螺旋（１０）を押出筒（１２）内部に嵌合させた状態で回転して前記繰出口（７）から供給される肥料を押出口（１１）へ押出すように軸装する押出筒（１２）と、該押出筒（１２）の押出口（１１）から押し出される肥料を受けて前記送風筒（６）上周部の供給口（１３）に供給する供給ホッパ（１４）とを配置して、前記繰出口（７）から流下される肥料を押出螺旋（１０）の回転で押出しながら送風筒（６）へ供給し、
前記施肥ホッパ（１）直下のホッパ出口（１５）と、繰出装置（３）直下の繰出口（７）と、押出筒（１２）上側の押込口（１６）と、及び前記ブロワ（４）の送風を各送風筒（６）へ案内するエアダクト（１７）とを、上下方向に亘って重合形態に配置構成し、これら押出筒（１２）乃至前記各送風筒（６）に連通送風するエアダクト（１７）の前側部には、運転席（１８）後側の左右リアフェンダ（１９）間に亘るリアフロア（２０）を構成し、前記各押出筒（１２）後端部の螺旋軸（８）後端部に、左右横方向に亘る連動軸（２１）を連動し、各送風筒（６）の後端部に施肥ホース（５）を着脱可能に連結することを特徴とする施肥装置。
【請求項２】
前記エアダクト（１７）、及び送風筒（６）をリアフロア（２０）の下側に沿って設けたことを特徴とする請求項１に記載の施肥装置。
【請求項３】
前記送風筒（６）の後端部を、上側の押出筒（１２）の後端部よりも後位に突出させて設け、これら押出筒（１２）の前端部には、前記リアフロア（２０）の上面側から押出螺旋（１０）を挿脱可能に取付け、送風筒（６）の後端には、施肥ホース（５）を着脱可能に連結することを特徴とする請求項１または２に記載の施肥装置。
【発明の詳細な説明】
【技術分野】
【０００１】
この発明は、多条施肥形態の施肥機において、施肥条毎に構成される施肥ホース部に送風させる搬送用エアを通すためのエアダクト、及び送風ブロワを小径化、小形化して、施肥装置全体の高さを低く形成して、この施肥ホッパに対する肥料の補給や、多条植形態の苗植装置に対する補助苗の補給等の作用を行い易くする。
【背景技術】
【０００２】
繰出装置の後側部にエアダクトを配置して、左右横端部のブロワから吹込まれるエアを横方向へ案内して、各施肥ホースに連通する繰出部に繰出される肥料を噴送する技術構成が知られている（例えば、特許文献１参照）。
【先行技術文献】
【特許文献】
【０００３】
【特許文献１】特開２０１４−２１２７１８号公報
【発明の概要】
【発明が解決しようとする課題】
【０００４】
エアダクトから各施肥ホースに分岐連通して、施肥搬送用噴風を行わせる形態では、このエアダクトが施肥装置の後側部、特にリアフロアの足元部の近くに配置されると、作業者がリアフロア上面部に立って、施肥ホッパに対する肥料の補給作業を行ったり、後部に連結する多条植形態の苗植装置の苗タンクに、マット苗を補給する等の補給作業の邪魔になり易く、手早い安全な作業を行い難い。
【課題を解決するための手段】
【０００５】
請求項１に記載の発明は、肥料を収容する施肥ホッパ（１）と、繰出ロール（２）の回転によって前記施肥ホッパ（１）から供給される肥料を繰出す繰出装置（３）と、ブロワ（４）からの送風を通して、前記繰出装置（３）から繰出される肥料を受けて施肥ホース（５）へ送風搬送させる送風筒（６）とを構成する施肥装置において、
前記繰出装置（３）の繰出口（７）と、送風筒（６）との間に、螺旋軸（８）の周面に螺旋面を連続させて形成し、且つこの螺旋軸（８）方向に沿って連続する螺旋面を形成する螺旋翼（９）を有した押出螺旋（１０）と、該押出螺旋（１０）を押出筒（１２）内部に嵌合させた状態で回転して前記繰出口（７）から供給される肥料を押出口（１１）へ押出すように軸装する押出筒（１２）と、該押出筒（１２）の押出口（１１）から押し出される肥料を受けて前記送風筒（６）上周部の供給口（１３）に供給する供給ホッパ（１４）とを配置して、前記繰出口（７）から流下される肥料を押出螺旋（１０）の回転で押出しながら送風筒（６）へ供給し、
前記施肥ホッパ（１）直下のホッパ出口（１５）と、繰出装置（３）直下の繰出口（７）と、押出筒（１２）上側の押込口（１６）と、及び前記ブロワ（４）の送風を各送風筒（６）へ案内するエアダクト（１７）とを、上下方向に亘って重合形態に配置構成し、これら押出筒（１２）乃至前記各送風筒（６）に連通送風するエアダクト（１７）の前側部には、運転席（１８）後側の左右リアフェンダ（１９）間に亘るリアフロア（２０）を構成し、前記各押出筒（１２）後端部の螺旋軸（８）後端部に、左右横方向に亘る連動軸（２１）を連動し、各送風筒（６）の後端部に施肥ホース（５）を着脱可能に連結することを特徴とする施肥装置とする。
【０００６】
繰出装置（３）から繰出される繰出口（７）の肥料は、押出螺旋（１０）を有した押出筒（１２）の押込口（１６）に供給されて、この押出螺旋（１０）の回転によって押出筒（１２）内を後側部へ押出されて、押出口（１１）から下側の送風筒（６）の供給ホッパ（１４）の供給口（１３）へ供給される。ブロワ（４）から吹出されるエアは、エアダクト（１７）を通して各送風筒（６）へ分岐するように送風されて、前記供給口（１３）からこの送風筒（６）へ供給される肥料を後側の施肥ホース（５）側へ噴送する。
【０００７】
この送風筒（６）内へ吹込まれるエアは、一部上側の供給口（１３）側へ吹込まれようとするも、この供給ホッパ（１４）の上端の押出口（１１）に連通する押出筒（１２）内周面には、螺旋軸（８）と一体に形成されて回転する螺旋翼（９）の回転外周縁部を、これら押込口（１６）と押出口（１１）との間に形成の押出筒（１２）内周面に接近させて回転する押出螺旋（１０）と、この押出螺旋（１０）の螺旋間隔部に嵌合させて押出移送される肥料とによって仕切られた形態にあるため、供給口（１３）に吹込まれた風圧が直ちに上側繰出口（７）側へ吹き込まれたり、逃げ出すことは阻止されて、送風筒（６）における後側施肥ホース（５）側へのエア搬送力を効果的に維持する。
【０００８】
そして、前記押出筒（１２）における搬送を押螺旋（１０）によって強制的に、画一的に行うものであるから、正確な施肥作用を行わせる。
【０００９】
（削除）
【００１０】
前記施肥ホッパ（１）から繰出ロール（２）の回転によって繰出される肥料は、ホッパ出口（１５）から繰出口（７）、押込口（１６）を経て押出筒（１２）へ供給され、この押出筒（１２）の後部寄りの供給口（１３）に案内されて、送風筒（６）へ供給される。このため、肥料の繰出経路は略上下方向に直線状重合形態に並ぶ最短距離の形態にあって、肥料の繰出、施肥を迅速化することができる。
【００１１】
最下段部に配置のエアダクト（１７）は、リアフロア（２０）の前側部に配置されて、施肥ホッパ（１）や、繰出装置（３）等の前側下部の足元スペースが広く開放された形態として、このリアフロア（２０）上面の作業者の足元スペースを広くし、補給作業を行い易くする。
【００１２】
また、多条施肥の各施肥装置の前側部には、連動軸（２１）が、各螺旋軸（８）後端部を左右横方向に亘って配置されて連動構成される。
【００１３】
そして、各送風筒（６）の後端部に各施肥ホース（５）を着脱可能に連結していることにより、車体後側部からの連動軸（２１）、施肥ホース（５）等の着脱、清掃メンテナンス等を簡単に行うことができる。
【００１４】
請求項２に記載の発明は、前記エアダクト（１７）、及び送風筒（６）をリアフロア（２０）の下側に沿って設けたことを特徴とする請求項１に記載の施肥装置とする。
【００１５】
前記のように、上下方向に積層状形態に並ぶ施肥装置各部の機構部のうち、最下段のエアダクト（１７）と、このエアダクト（１７）の後側に連結する送風筒（６）がリアフロア（２０）の下側部に横方向に沿って配置されることにより、このフロア（２０）上面に突出する施肥装置部の高さが低位置になるので、リアフロア（２０）に搭乗して作業するとき、補給作業が行い易くなる。
【００１６】
また、これらエアダクト（２０）や送風筒（６）が、リアフロア（２０）上面に露出しないため、リアフロア（２０）足元上面を広く、平坦面に形成して、作業移動を行い易くする。
【００１７】
請求項３に記載の発明は、前記送風筒（６）の後端部を、上側の押出筒（１２）の後端部よりも後位に突出させて設け、これら押出筒（１２）の前端部には、前記リアフロア（２０）の上面側から押出螺旋（１０）を挿脱可能に取付け、送風筒（６）の後端には、施肥ホース（５）を着脱可能に連結することを特徴とする請求項１または２に記載の施肥装置とする。
【００１８】
施肥装置の最下段部に位置する送風筒（６）の後端部は、この上側部の押出筒（１２）の後端部よりも後位に突出させているため、この送風筒（６）の後端部に着脱する施肥ホース（５）の着脱、清掃等のメンテナンス作業を行い易くする。
【００１９】
また、押出筒（１２）の前端部に着脱する押出螺旋（１０）は、前側のリアフロア（２０）上面側から押出筒（１２）内へ出し入れして着脱操作を行い易くする。しかも、各螺旋軸（８）を連動する連動軸（２１）は、前記送風筒（６）の前端部よりも上側位置においてギヤ連動する形態であるから、この連動軸（２１）の着脱を邪魔することが防止され、メンテナンス性が向上する。
【００２０】
（削除）
【００２１】
（削除）
【発明の効果】
【００２２】
請求項１に記載の発明は、ブロワ（４）から噴風される送風を送風筒（６）に通して施肥搬送するとき、送風筒（６）に送込まれる肥料の送風力を有効に維持して、施肥を効率的に、能率的に行わせることができる。
【００２３】
また、送風筒（６）に吹込まれる風圧が、押出筒（１２）内を経て押込口（１６）側へ逆流して逃げ出すのを防止することができ、操出ロール（２）による肥料の操出を円滑に行わせることができ、押出螺旋（１０）による押出作用を正確に、円滑に行わせる。
【００２４】
そして、押出螺旋（１０）と押出筒（１２）の内周面との間の間隙部を狭くして、押出作用時の風圧の逃げを少なくして、送風力による肥料の搬送効果を有効に高めることができるので、送風筒（６）や、施肥ホース（５）等の施肥搬送経路における肥料詰りや、停滞等を防止して円滑で安定した施肥搬送を行わせることができる。
【００２５】
また、施肥装置の前後方向幅の中心部であるホッパ出口（１５）、繰出口（７）及び押込口（１６）と、エアダクト（１７）とを、上下方向に重合させて構成して、前後幅を狭くし、コンパクトな配置形態とする。このエアダクト（１７）の後側に送風筒（６）を配置して、供給口（１３）を連通させるため、エアダクト（１７）と施肥ホッパ（１）との間の全高さを低くし、且つエアダクト（１７）と施肥ホース（５）との間の間隔部を短くしコンパクトな構成とすることができる。
【００２６】
また、各螺旋軸（８）後端部に対する連動軸（２１）の構成を容易にし、これよりも後方へ突出する下段後部の送風筒（６）への施肥ホース（５）の着脱連結を容易化できる。
【００２７】
そして、前記施肥ホース（５）よりも上方位置に設ける押出螺旋（１０）で肥料を施肥ホース（５）まで移送することにより、搬送風の影響を抑えることができるので、施肥量を安定させることができる。
【００２８】
請求項２に記載の発明は、請求項１に記載の発明の効果に加えて、エアダクト（１７）、及び送風筒（６）をリアフロア（２０）の下側に沿って設けるため、リアフロア（２０）の足元部上面を広く形成して、補給作業者がリアフロア（２０）上面に立ち易く、補給作業を行い易くする。又、リアフロア（２０）上面の施肥装置の突出高さを低くして、コンパクト化して、補給作業を容易化する。
【００２９】
請求項３に記載の発明は、請求項１または２に記載の発明の効果に加えて、送風筒（６）の後端部が、上側の押出筒（１２）の後端部よりも後側へ突出した形態であるから、押出筒（１２）の押出螺旋軸（８）のリアフロア（２０）上面からの着脱を容易、簡単に行うことができると共に、送風筒（６）に対する施肥ホース（５）の着脱を後方から容易に行うことができる。
【００３０】
また、前記送風エアダクト（１７）をリアフロア（２０）の下側に配置する形態であっても、各送風筒（６）の後端を後方に突出させて、施肥ホース（５）の着脱を容易化する。
【００３１】
（削除）
【図面の簡単な説明】
【００３２】
【図１】苗移植機の側面図
【図２】苗移植機の平面図
【図３】施肥装置部の側面図
【図４】施肥装置部の正面図
【図５】（Ａ）施肥装置部の拡大側断面図、（Ｂ）エアダクトの着脱状態を示す側断面図、（Ｃ）エアダクトの着脱状態を示す側断面図
【図６】実施例を示す施肥装置部の正面図
【図７】実施例を示す施肥装置部の側面図
【発明を実施するための形態】
【００３３】
図面に基づいて、苗移植機は、ステアリングハンドル２４の操作で操向する前輪２５を車体２６の前部フロントアクスルハウジングに軸装し、大きい回転径の後輪２７をリヤアクスルハウジングに軸装して、エンジン２８、及びミッションケース２９等の伝動機構を介して駆動回転して走行できる四輪駆動走行形態のトラクタ車体２６を有し、この車体２６の後部に、リフトシリンダ３０の伸縮によって昇降回動する平行リンク状のリフトリンク３１を介して苗植装置３２を連結している。
【００３４】
車体２６上の運転席１８の後側にはリアフロア２０を形成して、施肥装置３３を搭載する。車体２６の左右両側部には、前輪２５の上側部から後輪２７上側部のリアフェンダ３４部に亘って覆うサイドフロア３４を構成し、この外側にサブフロア３５を拡張形成して、これらのフロア３４、３５上面を搭乗者が移動することによって、前端外側の補助苗載棚３７部に積載していたマット苗や、肥量袋を取出しながら、リアフロア２０側へ運んで、苗植装置３２の苗タンク３６へ苗補給したり、施肥装置３３の施肥ホッパ１へ肥料を補給することができる。
【００３５】
前記苗植装置３２は、センタフロート３８と、この左右両側部のサイドフロート３９とを配置して、苗植フレーム４０を支持して、土壌面を滑走しながら、植付土壌面を均平する。この苗植フレーム４０上に横幅広く多条植相当数並べた形態の苗タンク３６を、前上り傾斜面にして支持し、この苗タンク３６の後下端部に沿って形成されるガイドレール４１の各苗取口４２に対向させて作動する植付装置４３を配置し、この植付装置４３の先端部の植付爪４４を苗取口４２に作動させて、苗タンク３６から繰出されるマット苗を分離保持して土壌面へ多条植形態に植え付けるものである。
【００３６】
前記苗植装置３２の前側には、各フロート３８、３９の前側の土壌面を均す代ロー夕４５を設け、苗植装置３２の昇降と共にリフトリンク３１の上下回動によって昇降することができ、フロート３８、３９による均平作用を行い易くするものである。
【００３７】
前記施肥装置３３は、この多条植形態の苗植装置３２の前側部において、車体２６の後端部に搭載して、苗植作業と同時に施肥作業を可能とする。苗植装置３２の各フロート３８、３９の苗植付位置前部近傍に施肥用の作溝器４５を設けて、この作溝器４５で形成した作溝部に施肥ホース５の施肥口をのぞませて、施肥装置３３から施肥ホース５を介して案内する肥料を、作溝器４５で形成の作溝内に流下させて施肥作業を行わせる。この作溝は植付けられた苗条に沿って形成され、施肥直後に覆土器等によって覆土することができる。
【００３８】
車体２６の後端部には、左右両側部のリアフェンダ１９間の中央部位置にリアフレーム４６が設けられて、このリアフレーム４６上にリアフロア２０が支持され、前記リフトリンク３１の前端部が上下回動回動自在に連結される。
【００３９】
また、この左右リアフェンダ１９間に亘ってリアフロア２０が形成されて、運転席１８の後側部を苗タンク３６の横幅方向一杯に亘って覆うように形成している。前記左右リアフレーム４６上間に亘って架設した支持フレーム４７に、横方向のエアダクト１７を支持させて取り付け、このエアダクト１７の上側にボード材からなるリアフロア２０を敷設する。このリアフロア２０の横端部下面にリアフェンダ１９の後端上部が連結される。
【００４０】
これらリアフロア２０、及びエアダクト１７は、苗タンク３６の横幅と略同等の広幅に形成されて、リアフロア２０の上側面に各施肥装置３３を配置し、エアダクト１７の一側端部にはブロワ４を設けて、エアを吹き込むことができ、他側端部には、残留物を機外へ取出す取出ダクト４８や、開閉弁４９等を設けて、施肥作業時はこの開閉弁４９を閉じておき、残留物取出時は開いてブロワ４からの送風によって残留物（肥料）を取出ダクト４８から機外へ取出すことができる。
【００４１】
施肥装置３３は、車体２６後部に連結する苗植装置３２の苗植条数と同基数の形態に横並び配置されるもので、繰出ロール２をロール軸４９周りに回転することによって、上側の施肥ホッパ１のホッパ出口１５から流下供給される粉、粒剤からなる肥料を下側の繰出口７側へ繰出す。
【００４２】
この施肥ホッパ１は、複数基毎に一体的に形成されて、底部に漏斗５０、及びホッパ出口１５を配置形成して、各ホッパ出口１５を対向の繰出装置３３の繰出ケース５１上部の繰込口５２に連通させる。このホッパ出口１５部には開閉可能のシャッター５３を設けている。これら施肥ホッパ−１の中央部に位置するホッパ出口１５と、繰出装置３の中心部に位置するロール軸４９とは、側面視で上下方向一直線Ｙ上に配置されている。
【００４３】
この繰出ケース５１の下側に、押出筒１２を形成して内部に押出螺旋１０を有した押出ケース５４を配置し、前記繰出口７から流下される肥料を押込口１６に受けて、押出螺旋１０の回転によって、後端部の押出口１１へ押出して、下側の供給口１３へ供給する。この供給口１３は上側の押込口１６に対して後側へ偏倚した位置に形成されて、螺旋軸８を嵌合させて回転させる押出筒１２を介して前後方向に連通される。
【００４４】
この押出筒１２の前後端面は開口部５５、５６を形成して、この開口部５５の前側から螺旋軸８を嵌合挿通させて、この螺旋軸８の前後端部に嵌合する軸受メタル５７、５８を開口部５５、５６に嵌合させて軸受けする。この螺旋軸８の後端部にはギヤ伝動ケース５９のベベルギヤ６０を嵌合させて、連動軸２１から伝動回転する。前記押出筒１２の押込口１６と押出口１１との口端縁間の押出間隔Ｌを適宜長さに設定して、この押出間隔Ｌ部において、数ピッチの螺旋翼９を回転させる。
【００４５】
この螺旋翼９は螺旋軸８部の周りに一体的に形成されていて、回転外周縁を押出筒１２の内周面に接近させて回転し、この螺旋軸１０の回転によって肥料を押込口１６から押出口１１側へ押し出すときに、送風筒６の風圧が、押出口１１から押込口１６側へ逃げ出す逃出風量を少なくするように構成している。
【００４６】
また、前記押出ケース５４下部に、押出口１１を形成する供給ホッパ１４と、送風筒６とを一体的に成形し、この送風筒６の前端部の送風口６１を、エアダクト１７のダクト口６２に嵌合させて連結し、着脱可能に構成し、送風筒６の後端部には、開口６３の周りに球座６４を形成して、ホース継手２２を方向変更自在に嵌合させて連結する。このホース継手２２の吹出口２３に可撓性の施肥ホース５の基端部を着脱可能にして連結する。
【００４７】
前記供給口１３を形成する供給ホッパ１４には、吹返し防止板６５を設け、上端縁を板軸６６の周りに上下回動自在に支持させて、下側の供給口１３を吹き上げる風力が強くなると、この吹返し防止板６５を上方へ押し上げて、上側の押出口１１を閉鎖して、押出筒１２内への吹込風力を抑止するように構成している。
【００４８】
前記各送風筒６に送風案内するエアダクト１７は、各押出筒１２の下側部に位置して左右横方向に沿って構成し、前記ホッパ出口１５、ロール軸４９、押込口１６等を通る上下方向直線Ｙの直下端部に。エアダクト１７の中心部を位置させるように配置構成している。
【００４９】
前記エアダクト１７は、各ダクト口６２を送風筒６の送風口６１に嵌合させて、エアダクト１７の風圧を施肥ホース５側へ送風するが、（図５（Ｂ）参照）、この各ダクト口６２を送風口６１から外すことによって、ダクト口６２を下向きにすることによって（図５（Ｃ）参照）、このエアダクト１７内の残留物や、ダクト口６２周りに付着する付着物等を掃除することができる。
【００５０】
前記各繰出装置３のロール軸４９は、リアフロア２０の下部に配置の連動軸６６から伝動回転される。また、この連動軸６６は、リヤアクスルハウジング内の伝動装置から駆動される伝動軸６７を介して伝動される。そして、前記各螺旋軸８を連動する連動軸２１は、苗植装置３２を連動するＰＴＯ軸６８の途中位置のベベルギヤ６９から連動軸７０、及びベベルギヤ７１を介して伝動回転する形態である。さらに、前記ブロワ４は、ファンを電動モータによって回転する形態である。
【００５１】
次に、図６、図７において、前記左右に相隣接して構成される施肥ホッパ１間の間隔部７４に、漏斗５０部に連通させる正面視Ｙ字状の排出シュート７５を設け、この排出シュート７５の上端部は、漏斗５０の排出口７６に連通させて、この排出口７６のシャッター７７を開くことによって、漏斗５０内に残留する肥料を排出シュート７５へ取出すことができる。
【００５２】
この排出シュート７５の下端部７８をエアダクト１７に連結して、この下端部７８のシャッター７９を開くことによって排出される残留肥料を取り出し、このエアダクト１７に受けて一側端の取出ダクト４８へ吹出搬送させることができる。
【００５３】
Ｙ字状排出シュート７５は、左右に相対向する一対の漏斗５０間の間隔部７４に配置するため、設定数を少なくすることができ、略直下位置のエアダクト１７にのぞませることによって簡単に構成することができる。
【符号の説明】
【００５４】
１  施肥ホッパ
２  操出ロール
３  操出装置
４  ブロワ
５  施肥ホース
６  送風筒
７  操出口
８  螺旋軸
９  螺旋翼
１０  押出螺旋
１１  押出口
１２  押出筒
１３  供給口
１４  供給ホッパ
１５  ホッパ出口
１６  押込口
１７  エアダクト
１８  運転席
１９  リアフェンダ
２０  リアフロア
２１  連動軸
２２  ホース継手
２３  吹出口
２４  ハンドル
２５  前輪
２６  車体
２７  後輪
【図１】
0006645014.tif 000002
【図２】
0006645014.tif 000003
【図３】
0006645014.tif 000004
【図４】
0006645014.tif 000005
【図５】
0006645014.tif 000006
【図６】
0006645014.tif 000007
【図７】
0006645014.tif 000008